(57)【要約】【課題】処理負担を比較的低く抑えながら映像信号の彩度に関するバックライト制御を可能とするバックライト制御装置及びバックライト制御方法を提供する。【解決手段】  ＹＣｂＣｒ規格による映像信号を受けＲＧＢ規格の映像信号に変換する変換部１と、変換部からのＲ映像信号、Ｇ映像信号、Ｂ映像信号を画素毎に比較して最大の階調度の信号を一つ選択し、選択した信号の階調度を順次プロットしたヒストグラムを生成する生成部２と、生成部が生成したヒストグラムから特定の分布（図２，図３）をもつヒストグラムを検出するフィルタ部３，４と、フィルタ部からの検出結果に応じて制御信号を生成して出力する制御部５，６をもつバックライト制御装置。【選択図】図１
2008242330.tif 000002
【特許請求の範囲】
【請求項１】
ＹＣｂＣｒ規格による映像信号を受けＲＧＢ規格の映像信号に変換する変換部と、
前記変換部からのＲ映像信号、Ｇ映像信号、Ｂ映像信号を画素毎に比較して最大の階調度の信号を一つ選択し、選択した信号の階調度を順次プロットしたヒストグラムを生成する生成部と、
前記生成部が生成したヒストグラムから特定の分布をもつヒストグラムを検出するフィルタ部と、
前記フィルタ部からの検出結果に応じて制御信号を生成して出力する制御部と、
を具備するバックライト制御装置。
【請求項２】
ＹＣｂＣｒ規格による映像信号を受け、Ｙ輝度信号、Ｃｂ色差信号、Ｃｒ色差信号に関する各ヒストグラムを生成する生成部と、
前記生成部が生成したヒストグラムから特定の分布をもつヒストグラムを検出するフィルタ部と、
前記フィルタ部からの検出結果に応じて制御信号を生成して出力する制御部と、
を具備するバックライト制御装置。
【請求項３】
前記生成部は、前記映像信号の一画面について一つのヒストグラムを生成することを特徴とする請求項１または２に記載のバックライト制御装置。
【請求項４】
前記フィルタ部は、最大階調に所定量以上の頻度のあるヒストグラムを検出することを特徴とする請求項１または２に記載のバックライト制御装置。
【請求項５】
前記フィルタ部は、最小階調に所定量以上の頻度のあるヒストグラムを検出することを特徴とする請求項１または２に記載のバックライト制御装置。
【請求項６】
前記フィルタ部は、最高彩度に所定量以上の頻度のあるヒストグラムを検出することを特徴とする請求項２記載のバックライト制御装置。
【請求項７】
前記ＹＣｂＣｒ規格による映像信号を受けて画像表示のための駆動信号を出力する処理部と、
前記処理部から前記駆動信号を受けこれに応じた映像を画面表示する表示部と、
前記制御部から前記制御信号を受けこれに応じて前記表示部の背後からバックライトを照射するバックライト部を更に有する請求項１記載のバックライト制御装置。
【請求項８】
ＹＣｂＣｒ規格による映像信号を受けＲＧＢ規格の映像信号に変換し、
前記Ｒ映像信号、Ｇ映像信号、Ｂ映像信号を画素毎に比較して最大の階調度の信号を一つ選択し、選択した信号の階調度を順次プロットしたヒストグラムを生成し、
前記生成したヒストグラムから特定の分布をもつヒストグラムを検出し、
前記検出結果に応じて制御信号を生成することを特徴とするバックライト制御方法。
【発明の詳細な説明】
【技術分野】
【０００１】
この発明は、ヒストグラムを用いたバックライト制御装置に関し、特に、ＲＧＢ規格の映像信号に関するヒストグラムを用いたバックライト制御装置及びバックライト制御方法に関する。
【背景技術】
【０００２】
最近、液晶表示装置の広範囲な普及に伴い、液晶表示装置のバックライト装置の制御方法についても多岐に渡る要望が挙げられてきている。すなわち、輝度だけでなく彩度についてもバックライト制御を施したい場合に対して、ＹＣｂＣｒ規格の映像信号を対象とするのではなく、ＲＧＢ規格の映像信号を対象とした算出を行ない、この結果に応じてバックライト制御を行なう技術が知られている。
【０００３】
特許文献１は、Ｒ信号，Ｇ信号，Ｂ信号について頻度を各々算出し、この算出結果に基づいて、バックライト制御を行なう例が示されている。これにより、輝度だけではなく、彩度の高低についての詳細なバックライト制御を可能としているためブルーバック画面等の輝度レベルが低いが彩度の高い画面を制御する場合、ブルーバック画面が黒ずんだ画面とはならない。
【特許文献１】特開２００５−２４２３００号公報
【発明の開示】
【発明が解決しようとする課題】
【０００４】
しかしながら、特許文献１の従来技術においては、各Ｒ信号，Ｇ信号，Ｂ信号についてカウントを取っていたため、非常に演算処理量が多くなってしまい、回路への負担も大きなものとなってしまう。
【０００５】
そこで、この発明は上記事情を考慮してなされたもので、処理負担を比較的低く抑えながら映像信号の彩度に関するバックライト制御を可能とするバックライト制御装置及びバックライト制御方法を提供することを目的とする。
【課題を解決するための手段】
【０００６】
課題を解決するための一実施形態は、
ＹＣｂＣｒ規格による映像信号を受けＲＧＢ規格の映像信号に変換する変換部（１）と、
前記変換部からのＲ映像信号、Ｇ映像信号、Ｂ映像信号を画素毎に比較して最大の階調度の信号を一つ選択し、選択した信号の階調度を順次プロットしたヒストグラムを生成する生成部（２）と、
前記生成部が生成したヒストグラムから特定の分布（図２，図３）をもつヒストグラムを検出するフィルタ部（３，４）と、
前記フィルタ部からの検出結果に応じて制御信号を生成して出力する制御部（５，６）と、を具備するバックライト制御装置である。
【発明の効果】
【０００７】
Ｒ映像信号、Ｇ映像信号、Ｂ映像信号の全てのヒストグラムを生成するのでなく、画素毎に比較して最大階調度の１信号の階調度を順次プロットしたヒストグラムを生成し利用することで、約１／３の低負担による彩度を反映したバックライト制御装置を可能にした。
【発明を実施するための最良の形態】
【０００８】
以下、この発明の実施の形態について図面を参照して詳細に説明する。
【０００９】
＜本発明に係る一実施形態であるＲＧＢＭＡＸ値ヒストグラムのバックライト制御部＞
初めに、本発明に係る一実施形態であるバックライト制御装置及びこのバックライト制御装置を用いた放送受信装置の一例を図面を用いて詳細に説明する。図１は、本発明の一実施形態に係るバックライト制御装置の構成の一例を示すブロック図である。図２は、同じくバックライト制御装置に用いられる明部抽出フィルタの特性の一例を示す特性図である。図３は、同じくバックライト制御装置に用いられる暗部抽出フィルタの特性の一例を示す特性図である。
【００１０】
（構成）
本発明に係る一実施形態であるバックライト制御部１５は、図１に示すように、ＹＣｂＣｒ規格の映像信号を受けてＲＧＢ規格の映像信号に変換するＲＧＢ変換部１と、ここからのＲＧＢ信号を受けて１画素毎にＲ信号、Ｇ信号、Ｂ信号の最大階調のものを一つ選択するＲＧＢＭＡＸ値ヒストグラム生成部２と、ヒストグラムの明部だけをフィルタリングして後段に検出信号を出力する明部抽出フィルタ３と、同様に、ヒストグラムの暗部だけをフィルタリングして後段に検出信号を出力する暗部抽出フィルタ４を有している。
【００１１】
更に、本発明に係る一実施形態であるバックライト制御部１５は、図１に示すように、明部抽出フィルタ３の検出出力を受けこれに基づき制御信号を出力する制御量調整部５と、暗部抽出フィルタ４の検出出力を受けこれに基づき制御信号を出力する制御量調整部６と、制御量調整部５及び制御量調整部６からの各制御信号を受けこれを選択的に後段に出力するセレクタ部７と、セレクタ部７からの制御信号に応じてバックライト部を制御するためのＰＷＭ制御信号を後段に出力するＰＷＭ生成部８を有している。
【００１２】
ここで、明部抽出フィルタ３は、図２に示すように、ヒストグラムの最大階調に所定量以上の頻度のあるヒストグラムを検出すると、検出信号を後段に出力するものである。また、暗部抽出フィルタ４は、図３に示すように、ヒストグラムの最小階調に所定量以上の頻度のあるヒストグラムを検出すると、検出信号を後段に出力するものである。
【００１３】
このような構成のバックライト制御部１５では、一例として、明部抽出フィルタ３の検出時においてバックライトを約８０％程度に抑制し、暗部抽出フィルタ４の検出時においてバックライトを約２０％程度に抑制し、その他のタイミングでバックライトを約１００％程度に制御する場合が好適である。
【００１４】
（このバックライト制御部を用いた放送受信装置の一例）
次に、このバックライト制御部を用いた放送受信装置の一例を図面を用いて説明する。図４は、本発明に係る一実施形態であるバックライト制御部が用いられる放送受信装置の構成の一例を示すブロック図である。
【００１５】
本発明に係る一実施形態であるバックライト制御部１５が用いられる放送受信装置１０は、アンテナ部から放送信号を受け選局した放送信号について復調処理を行い後段に復調信号を出力するチューナ部１１と、チューナ部１１からの復調信号を復号して映像音声信号を後段に出力するＭＰＥＧデコーダ１２と、ＭＰＥＧデコーダ１２からの映像音声信号に所定処理を施しＲＧＢ規格の映像信号を後段に出力する映像信号処理部１３を有している。
【００１６】
更に、本発明に係る一実施形態であるバックライト制御部１５が用いられる放送受信装置１０は、映像信号処理部１３からのＲＧＢ規格の映像信号に基づく映像を画面に表示する液晶平面表示素子等の画像表示部１７と、この画像表示部１７を背後からバックライトで照射するバックライト部１６と、後述するように映像信号処理部１３からのＹＣｂＣｒ規格の映像信号を受け、ＲＧＢ規格の映像信号に変換して最大階調のヒストグラムを生成しこのヒストグラムに基づいてバックライト部１６のＰＷＭ制御信号を出力するバックライト制御部１５を有している。
【００１７】
（バックライト制御部の動作）
次に、上述したバックライト制御部１５のバックライト制御動作をフローチャートを用いて詳細に説明する。図５は、本発明の一実施形態に係るバックライト制御装置の制御処理の一例を示すフローチャートである。なお、以下の図５のフローチャートの各ステップは、回路ブロックに置き換えることができ、従って、各フローチャートのステップは、全てブロックに定義しなおすことが可能である。
【００１８】
すなわち、本発明の一実施形態に係るバックライト制御部１５は、ＹＣｂＣｒ規格の映像信号をＲＧＢ規格の映像信号に変換し、これらＲ映像信号、Ｇ映像信号、Ｂ映像信号を画素毎に比較して最大の階調度の信号を一つ選択し、選択した信号の階調度を順次プロットしたヒストグラムを生成する。そして、これらのヒストグラムから特定の分布（図２，図３）をもつヒストグラムをフィルタ等で検出し、この検出結果に応じてＰＷＭ制御信号を生成して出力するものである。
【００１９】
すなわち、本発明の一実施形態に係るバックライト制御部１５において、ＹＣｂＣｒ規格の映像信号が与えられると（ステップＳ１１）、このＹＣｂＣｒ規格の映像信号をＲＧＢ変換部１によりＲＧＢ規格の映像信号に変換する（ステップＳ１２）。次に、ＲＧＢＭＡＸ値ヒストグラム生成部２において、各画素毎にＲ映像信号とＧ映像信号とＢ映像信号との階調が比較され最大階調の映像信号が一つ選択されて、この映像信号の階調度につき頻度がプロットされる（ステップＳ１３）。このようにＲＧＢＭＡＸ値ヒストグラム生成部２において、一画面の全画素についてＲ映像信号またはＧ映像信号またはＢ映像信号の最大階調がプロットされてヒストグラムが生成される（ステップＳ１４）。一例として、一画面につき一つのヒストグラムが生成されることが好適である。しかし、本発明の実施形態はこの方法に限定されるものではない。
【００２０】
次に、このように生成された多くのヒストグラムについて、明部抽出フィルタ３及び暗部抽出フィルタ４を通過させた出力が制御量調整部５及び制御量調整部６に供給され、セレクタ部７において制御量調整部５及び制御量調整部６の出力の大小関係を求める（ステップＳ１５）。例えば、明部抽出フィルタ３の出力が大きかったり、暗部抽出フィルタ４の出力が大きかったりする。大きい方の出力がセレクタ部７により選択されてＰＷＭ生成部８に供給され、ＰＷＭ生成部８は大きい方の出力に応じてＰＷＭ幅を決定する（ステップＳ１６）。そして、ＰＷＭ生成部８の出力がバックライト制御部１５の出力としてバックライト部１６に供給されバックライト部を制御することとなる（ステップＳ１７）。
【００２１】
（Ｙ輝度信号によるバックライト制御とＲＧＢ規格信号によるバックライト制御の対比）
次に、Ｙ輝度信号によるバックライト制御と、上述したＲＧＢ規格信号によるバックライト制御とを各信号段階で比較して両者の違いを図面を用いて詳細に説明する。
【００２２】
図６は、本発明の一実施形態に係るバックライト制御装置が扱う映像信号のＹＣｂＣｒ成分の一例を示す説明図、図７は、同じく映像信号のＲＧＢ成分の一例を示す説明図である。図８は、同じく映像信号のＹ信号のヒストグラムの一例を示す説明図、図９は、同じく映像信号のＲＧＢのＭＡＸ値のヒストグラムの一例を示す説明図である。図１０は、同じくＹ信号によるＰＷＭパルス出力の変化の一例を示す説明図、図１１は、同じくＲＧＢ信号によるＰＷＭパルス出力の変化の他の一例を示す説明図である。図１２は、同じくＹ信号によるバックライト光量の変化の一例を示す説明図、図１３は、同じくＲＧＢ信号によるバックライト光量の変化の一例を示す説明図である。図１４は、同じくＹ信号による暗部のＰＷＭパルス幅の制御量の一例を示す説明図、図１５は、同じくＲＧＢ信号による明部のＰＷＭパルス幅の制御量の一例を示す説明図である。
【００２３】
すなわち、輝度は比較的低いが彩度が高いブルーバック画面について、Ｙ輝度信号によるバックライト制御とＲＧＢ規格信号によるバックライト制御とを比較して両者の違いを詳細に説明する。
【００２４】
Ｙ輝度信号によるバックライト制御において、図６にブルーバックがカラーバーの青色の場合のＹＣｂＣｒ成分を示す。ＹＣｂＣｒの比はＹ：Ｃｂ：Ｃｒ＝０.１１４：０.４９９：−０.０８１２となっている。ここでは、ブルーバック画面は、階調の高い成分で高い頻度として検出されることはない。
【００２５】
ＲＧＢ規格信号によるバックライト制御において、図７にカラーバーの青色のＲＧＢ成分を示す。Ｒ，Ｇ，Ｂの比は、Ｒ：Ｇ：Ｂ＝０：０：１となっている。ここでは、ブルーバック画面は、Ｂの高彩度にて高い頻度として検出することができる。
【００２６】
Ｙ輝度信号によるバックライト制御において、図８にＹ情報でのヒストグラムを示す。ここでは、階調の低い（暗部）成分で高い頻度を示している。
【００２７】
ＲＧＢ規格信号によるバックライト制御において、図９にＲＧＢのＭＡＸ値でのヒストグラムを示す。ここでは、ブルーバック画面は、Ｇ映像信号の高彩度の成分で高い頻度を示している。
【００２８】
Ｙ輝度信号によるバックライト制御において、図１０に階調の低い（暗部）成分で高い頻度を示したことに対するＰＷＭパルス幅の変化を示しており、バックライト出力は例えば約２０％に抑制されている。この結果、ブルーバック画面は暗く表示されてしまう。
【００２９】
ＲＧＢ規格信号によるバックライト制御において、図１１にＧ映像信号の高彩度の成分で高い頻度を示したことに対するＰＷＭパルス幅の変化を示しており、バックライト出力は例えば約８０％程度に制御されている。この結果、ブルーバック画面は比較的明るく表示することができる。
【００３０】
Ｙ輝度信号によるバックライト制御において、図１２に例えば約２０％のバックライト出力を示しており、ブルーバック画面は暗く表示されてしまうことが判る。
【００３１】
ＲＧＢ規格信号によるバックライト制御において、図１３に例えば約８０％のバックライト出力を示しており、ブルーバック画面は比較的明るく表示されていることが判る。
【００３２】
Ｙ輝度信号によるバックライト制御において、図１４に暗部のＰＷＭパルス幅の制御量が示されている。ブルーバック画面は暗部として扱われ、暗く表示されてしまうことが判る。
【００３３】
ＲＧＢ規格信号によるバックライト制御において、図１５に明部のＰＷＭパルス幅の制御量が示されている。ブルーバック画面は明部として扱われ、比較的明るく表示されていることが判る。
【００３４】
以上、詳細に説明したように、本発明の実施形態に係るバックライト制御装置によれば、ＲＧＢ規格信号によるバックライト制御を行なうことで、例えば、ブルーバック画面のように輝度が低くとも彩度が高い画像は、比較的明るく表示されるようにバックライト制御を行なうことができる。更に、ＲＧＢ映像信号に対するヒストグラム生成においても、ＲＧＢ映像信号の各画素についてＭＡＸのヒストグラムを生成することにより、最大で１／３の処理負荷の低減を見込むことが可能となる。
【００３５】
＜本発明に係る他の一実施形態である輝度彩度ヒストグラムのバックライト制御部＞
次に、本発明に係る他の一実施形態である輝度彩度ヒストグラムのバックライト制御部について、図面を用いて詳細に説明する。図１６は、本発明の一実施形態に係るバックライト制御装置の構成の他の一例を示すブロック図である。図１７は、同じくバックライト制御装置に用いられる明部抽出フィルタの特性の一例を示す特性図である。図１８は、同じくバックライト制御装置に用いられる暗部抽出フィルタの特性の一例を示す特性図である。図１９は、同じくバックライト制御装置に用いられる高彩度抽出フィルタの特性の一例を示す特性図である。
【００３６】
（構成）
本発明に係る一実施形態であるバックライト制御部１５’は、図１６に示すように、ＹＣｂＣｒ規格の映像信号を受けて輝度色差ヒストグラム生成部２１と、ヒストグラムの明部だけをフィルタリングして後段に検出信号を出力する明部抽出フィルタ２２と、同様に、ヒストグラムの暗部だけをフィルタリングして後段に検出信号を出力する暗部抽出フィルタ２３を有している。
【００３７】
更に、本発明に係る一実施形態であるバックライト制御部１５’は、図１６に示すように、色差信号Ｃｂのヒストグラムの高彩度だけをフィルタリングして後段に検出信号を出力する高彩度抽出フィルタ２４と、同様に、色差信号Ｃｒのヒストグラムの高彩度だけをフィルタリングして後段に検出信号を出力する高彩度抽出フィルタ２５と、明部抽出フィルタ２２の検出出力を受けこれに基づき制御信号を出力する制御量調整部２６と、暗部抽出フィルタ２３の検出出力を受けこれに基づき制御信号を出力する制御量調整部２７と、色差信号Ｃｂの高彩度抽出フィルタ２４の検出出力を受けこれに基づき制御信号を出力する制御量調整部２８と、色差信号Ｃｒの高彩度抽出フィルタ２５の検出出力を受けこれに基づき制御信号を出力する制御量調整部２９と、制御量調整部２６乃至制御量調整部２９からの各制御信号を受けこれを選択的に後段に出力するセレクタ部３０と、セレクタ部３０からの制御信号に応じてバックライト部を制御するためのＰＷＭ制御信号を後段に出力するＰＷＭ生成部３１を有している。
【００３８】
ここで、明部抽出フィルタ２２は、図１７に示すように、ヒストグラムの最大階調に所定量以上の度数を検出すると、検出信号を後段に出力するものである。
【００３９】
また、暗部抽出フィルタ２３は、図１８に示すように、ヒストグラムの最小階調に所定量以上の度数を検出すると、検出信号を後段に出力するものである。
【００４０】
また、色差信号Ｃｂの高彩度抽出フィルタ２４は、図１９に示すように、ヒストグラムの最大高彩度に所定量以上の度数を検出すると、検出信号を後段に出力するものである。
【００４１】
また、同様に、色差信号Ｃｂの高彩度抽出フィルタ２５も、図１９に示すようにヒストグラムの最大高彩度に所定量以上の頻度のあるヒストグラムを検出すると、検出信号を後段に出力するものである。
【００４２】
（バックライト制御部の動作）
次に、上述したバックライト制御部１５’のバックライト制御動作をフローチャートを用いて詳細に説明する。図２０は、本発明の一実施形態に係るバックライト制御装置のＹ，Ｃｂ，Ｃｒによる制御処理の一例を示すフローチャートである。なお、以下の図２０のフローチャートの各ステップは、回路ブロックに置き換えることができ、従って、各フローチャートのステップは、全てブロックに定義しなおすことが可能である。
【００４３】
すなわち、本発明の一実施形態に係るバックライト制御部１５’は、ＹＣｂＣｒ規格の映像信号について各々ヒストグラムを生成する。そして、これらのヒストグラムから特定の分布（図１７，図１８，図１９）をもつヒストグラムをフィルタ等で検出し、この検出結果に応じてＰＷＭ制御信号を生成して出力するものである。
【００４４】
すなわち、本発明の一実施形態に係るバックライト制御部１５’において、図２０のフローチャートに示すように、ＹＣｂＣｒ規格の映像信号が与えられると（ステップＳ２１）、輝度色差ヒストグラム生成部２１では、この輝度信号Ｙ、色差信号Ｃｂ、色差信号Ｃｒについて、各々ヒストグラムを生成する（ステップＳ２１）。一例として、一画面について輝度信号Ｙ、色差信号Ｃｂ、色差信号Ｃｒにつき一つずつのヒストグラムが生成されることが好適であるが、この方法に限定されるものではない。
【００４５】
次に、このように生成された多くのヒストグラムについて、明部抽出フィルタ２２、暗部抽出フィルタ２３、Ｃｂ高彩度抽出フィルタ２４、Ｃｒ高彩度抽出フィルタ２５を通過させた出力がそれぞれ制御量調整部２６、制御量調整部２７、制御量調整部２８、制御量調整部２９に供給され、セレクタ部３０において各制御量調整部の出力の大小関係を求める（ステップＳ２３）。例えば、明部抽出フィルタ２２の出力が大きかったり、暗部抽出フィルタ２３の出力が大きかったりする。大きい方の出力がセレクタ部３０により選択されてＰＷＭ生成部３１に供給され、ＰＷＭ生成部３１は大きい方の出力に応じてＰＷＭ幅を決定する（ステップＳ２４）。そして、ＰＷＭ生成部３１の出力がバックライト制御部１５’の出力としてバックライト部１６に供給されバックライト部を制御することとなる（ステップＳ２５）。
【００４６】
すなわち、図１６に示されるバックライト制御部１５’においても、入力画像に図３のカラーバーの青色のブルーバックが入力されると、図２１のようにＹＣｂＣｒそれぞれのヒストグラムが取得される。Ｙは階調の小さいヒストグラム値が多く暗い映像を示しているが、Ｃｂは階調の大きいヒストグラム値が多いため彩度が高い映像でもあることが判断できる。従って、ブルーバック画面は、バックライトの光量の変化としては図１に示されるバックライト制御部１５と同様に僅かにバックライト光量を絞る制御（例えば約８０％）が施され、画面変化としては僅かに暗くなる方向へ変化する。このため、ブルーバック画面等の輝度レベルが低いが彩度の高い映像であっても、画面が黒ずんでしまうことがない。
【００４７】
（他の実施形態）
また、他の実施形態として、図１に示したバックライト制御部１５と図１６に示したバックライト制御部１５’との両方の構成を用意し、スイッチ等で両者の出力を任意に切り替えてバックライト部１６に供給する構成が好適である。これにより、状況に応じてユーザが適宜、バックライト制御部１５またはバックライト制御部１５’によりバックライト部１６を制御することが可能となる。
【００４８】
この実施形態によれば、ユーザは両者の制御方法でバックライト制御を試みることができ、状況に応じた制御方法を任意に選択することで映像の特性に応じた最適なバックライト制御を実現することができる。
【００４９】
（他の実施形態）
また、更に他の実施形態として、図１に示したＰＷＭ生成部８であるが、本発明を実施するために、必ずしもＰＷＭ生成部８に限定されるものではない。従って、他のどのようなバックライト駆動部であってもよい。
【００５０】
一例として、バックライト部１６のタイプに応じて、バックライトの発光量を駆動電圧の電圧値により制御する電圧値生成部を、ＰＷＭ生成部８の代わりに設けることが好適である。
【００５１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００５２】
【図１】本発明の一実施形態に係るバックライト制御装置の構成の一例を示すブロック図。
【図２】本発明の一実施形態に係るバックライト制御装置に用いられる明部抽出フィルタの特性の一例を示す特性図。
【図３】本発明の一実施形態に係るバックライト制御装置に用いられる暗部抽出フィルタの特性の一例を示す特性図。
【図４】本発明の一実施形態に係るバックライト制御装置が用いられる放送受信装置の構成の一例を示すブロック図。
【図５】本発明の一実施形態に係るバックライト制御装置の制御処理の一例を示すフローチャート。
【図６】本発明の一実施形態に係るバックライト制御装置が扱う映像信号のＹＣｂＣｒ成分の一例を示す説明図。
【図７】本発明の一実施形態に係るバックライト制御装置が扱う映像信号のＲＧＢ成分の一例を示す説明図。
【図８】本発明の一実施形態に係るバックライト制御装置が扱う映像信号のＹ信号のヒストグラムの一例を示す説明図。
【図９】本発明の一実施形態に係るバックライト制御装置が扱う映像信号のＲＧＢのＭＡＸ値のヒストグラムの一例を示す説明図。
【図１０】本発明の一実施形態に係るバックライト制御装置からのＹ信号によるＰＷＭパルス出力の変化の一例を示す説明図。
【図１１】本発明の一実施形態に係るバックライト制御装置からのＲＧＢ信号によるＰＷＭパルス出力の変化の他の一例を示す説明図。
【図１２】本発明の一実施形態に係るバックライト制御装置からのＹ信号によるバックライト光量の変化の一例を示す説明図。
【図１３】本発明の一実施形態に係るバックライト制御装置からのＲＧＢ信号によるバックライト光量の変化の一例を示す説明図。
【図１４】本発明の一実施形態に係るバックライト制御装置によるＹ信号による暗部のＰＷＭパルス幅の制御量の一例を示す説明図。
【図１５】本発明の一実施形態に係るバックライト制御装置によるＲＧＢ信号による明部のＰＷＭパルス幅の制御量の一例を示す説明図。
【図１６】本発明の一実施形態に係るバックライト制御装置の構成の他の一例を示すブロック図。
【図１７】本発明の一実施形態に係るバックライト制御装置に用いられる明部抽出フィルタの特性の一例を示す特性図。
【図１８】本発明の一実施形態に係るバックライト制御装置に用いられる暗部抽出フィルタの特性の一例を示す特性図。
【図１９】本発明の一実施形態に係るバックライト制御装置に用いられる高彩度抽出フィルタの特性の一例を示す特性図。
【図２０】本発明の一実施形態に係るバックライト制御装置のＹ，Ｃｂ，Ｃｒによる制御処理の一例を示すフローチャート。
【図２１】本発明の一実施形態に係るバックライト制御装置が扱う映像信号のＹ，Ｃｂ，Ｃｒのヒストグラムの一例を示す説明図。
【符号の説明】
【００５３】
１…ＲＧＢ変換部、２…ＲＧＢＭＡＸ値ヒストグラム生成部、３…明部抽出フィルタ、４…暗部抽出フィルタ、５…制御量調整部、６…制御量調整部、７…セレクタ部、８…ＰＷＭ生成部。
【図１】
2008242330.tif 000003
【図２】
2008242330.tif 000004
【図３】
2008242330.tif 000005
【図４】
2008242330.tif 000006
【図５】
2008242330.tif 000007
【図６】
2008242330.tif 000008
【図７】
2008242330.tif 000009
【図８】
2008242330.tif 000010
【図９】
2008242330.tif 000011
【図１０】
2008242330.tif 000012
【図１１】
2008242330.tif 000013
【図１２】
2008242330.tif 000014
【図１３】
2008242330.tif 000015
【図１４】
2008242330.tif 000016
【図１５】
2008242330.tif 000017
【図１６】
2008242330.tif 000018
【図１７】
2008242330.tif 000019
【図１８】
2008242330.tif 000020
【図１９】
2008242330.tif 000021
【図２０】
2008242330.tif 000022
【図２１】
2008242330.tif 000023